(57)【要約】【課題】地下構造物を構築する際の支保材の内、縦梁を撤去しないで、地下構造物の構造部材として使用することにより、地下構造物の内壁の壁厚を軽減することができる。この結果、地下構造物のスペースを広くすることができる。【解決手段】基礎地盤２に掘られた掘削穴１内に構築される地下構造物において、掘削穴１内に掘削穴１に沿って設置されたライナープレート３と、ライナープレート３の内側に設置された複数本の縦梁６と、掘削穴１の底部に縦梁６の下部を埋め込んで打設された基礎コンクリートにより構築された基礎７と、対向する縦梁６の上部間を連結する複数本の連結梁８と、ライナープレート３の内側に縦梁６を埋め込んで打設された内壁コンクリートにより構築された内壁９とを備えている。【選択図】図１
2018017042.tif 000002
【特許請求の範囲】
【請求項１】
基礎地盤に掘られた掘削穴内に構築される地下構造物において、
前記掘削穴内に前記掘削穴に沿って設置されたライナープレートと、前記ライナープレートの内側に設置された複数本の縦梁と、前記掘削穴の底部に前記縦梁の下部を埋め込んで打設されたコンクリートにより構築された基礎と、対向する前記縦梁の上部間を連結する複数本の連結梁と、前記ライナープレートの内側に前記縦梁を埋め込んで打設されたコンクリートにより構築された内壁とを備えたことを特徴とする地下構造物。
【請求項２】
前記ライナープレートの上部と前記掘削穴との間には、裏込め材としてのコンクリートが打設されていることを特徴とする、請求項１に記載の地下構造物。
【請求項３】
前記ライナープレートと前記掘削穴との間には、裏込め材としてのコンクリートが打設されていることを特徴とする、請求項１に記載の地下構造物。
【請求項４】
前記基礎上にコンクリートを打設することにより底壁が構築されていることを特徴とする、請求項１から３の何れか１つに記載の地下構造物。
【請求項５】
前記ライナープレート、前記縦梁、前記内壁および前記基礎には、止水シートが敷設されていることを特徴とする、請求項１から４の何れか１つに記載の地下構造物。
【請求項６】
前記連結梁の上部には、天井材が設置されていることを特徴とする、請求項１から５の何れか１つに記載の地下構造物。
【請求項７】
前記天井材は、デッキプレートからなっていることを特徴とする、請求項６に記載の地下構造物。
【請求項８】
下記工程（ａ）から（ｈ）、
（ａ）基礎地盤に掘削穴を掘る。
（ｂ）掘削穴の壁内に沿ってライナープレートを設置する。
（ｃ）前記ライナープレートの内側に支保材としての縦梁を設置する。
（ｄ）対向する前記縦梁間に支保材としての切梁を設置する。
（ｅ）前記（ａ）から（ｄ）工程を繰り返し行って、前記ライナープレートを上下に複数段、前記掘削穴内に構築した後、互いに連結された前記縦梁の上部間を連結梁により連結する。
（ｆ）前記掘削穴の底部に、前記縦梁の下部が埋め込まれるようにコンクリートを打設して基礎を構築する。
（ｇ）前記切梁を撤去する。
（ｈ）前記ライナープレートの内側に前記縦梁が埋め込まれるようにコンクリートを打設して内壁を構築する。
を含むことを特徴とする、地下構造物の構築方法。
【請求項９】
上段の前記ライナープレートと前記掘削穴との間に、裏込め材としてのコンクリートを打設する工程を含むことを特徴とする、請求項８に記載の、地下構造物の構築方法。
【請求項１０】
前記ライナープレートと前記掘削穴との間に裏込め材としてのコンクリートを打設する工程を含むことを特徴とする、請求項８に記載の、地下構造物の構築方法。
【請求項１１】
前記基礎上にコンクリートを打設して底壁を構築する工程を含むことを特徴とする、請求項８から１０の何れか１つに記載の、地下構造物の構築方法。
【請求項１２】
前記ライナープレート、前記縦梁、前記内壁および前記基礎に止水シートを敷設する工程を含むことを特徴とする、請求項８から１１の何れか１つに記載の、地下構造物の構築方法。
【請求項１３】
前記連結梁の上部に天井材を設置する工程を含むことを特徴とする、請求項８から１２の何れか１つに記載の、地下構造物の構築方法。
【請求項１４】
前記天井材としてデッキプレートを使用することを特徴とする、請求項１３に記載の、地下構造物の構築方法。
【発明の詳細な説明】
【技術分野】
【０００１】
この発明は、地下構造物およびその構築方法、特に、地下構造物を構築する際の支保材の内、縦梁を撤去しないで、地下構造物の構造部材として使用することにより、地下構造物の内壁の壁厚を軽減することができ、この結果、地下構造物のスペースを広くとることができる地下構造物およびその構築方法に関するものである。
【背景技術】
【０００２】
近年、例えば、住宅建築物の構築に際して、土地の有効利用や優れた断熱性および防音性の確保を目的として、地下構造物を構築することが行なわれている。
【０００３】
従来の、地下構造物の構築方法の一例を、図面を参照しながら説明ずる。以下、この構築方法を従来構築法Ａという。
【０００４】
図３は、従来構築法Ａの工程を示す断面図であり、（ａ）は、掘削工程図、（ｂ）は、上段ライナープレート設置工程図、（ｃ）は、裏込め材打設工程図、（ｄ）は、上段補強リング設置工程図、（ｅ）は、中段ライナープレート設置工程図、（ｆ）は、中段補強リングと下段ライナープレートおよび下段補強リング設置工程図、（ｇ）は、基礎コンクリート打設工程図、（ｈ）は、内壁配筋施工工程図、（ｉ）は、型枠設置工程図、（ｊ）は、内壁コンクリート打設工程図、（ｋ）は、型枠撤去工程図である。
【０００５】
先ず、図３（ａ）に示すように、基礎地盤３１に矩形状の掘削穴３２を掘る。次に、同図（ｂ）に示すように、掘削穴３２の内壁に沿って上段ライナープレート３３ａを設置する。なお、ライナープレートとは、鋼板を縦方向の断面が波形形状になるように加工したものである。次に、同図（ｃ）に示すように、掘削穴３２と上段ライナープレート３３ａとの間に裏込め材としてのコンクリート３４を打設する。
【０００６】
次に、図３（ｄ）に示すように、基礎地盤３１をさらに掘削して、上段ライナープレート３３ａの下部に上段補強リング３５ａを設置する。次に、同図（ｅ）に示すように、基礎地盤３１をさらに掘削して、上段補強リング３５ａを介して中段ライナープレート３３ｂを設置する。次に、同図（ｆ）に示すように、基礎地盤３１をさらに掘削して、中段ライナープレート３３ｂの下部に中段補強リング３５ｂを設置し、中段ライナープレート３３ｂの下部に中段補強リング３５ｂを介して下段ライナープレート３３ｃを設置し、そして、下段ライナープレート３３ｃの下部に下段補強リング３５ｃを設置する。
【０００７】
次に、図３（ｇ）に示すように、掘削穴３２の底部に基礎コンクリート３６を打設する。次に、同図（ｈ）に示すように、上段補強リング３５ａ、中段補強リング３５ｂおよび下段補強リング３５ｃの内側に内壁配筋３７を施工する。次に、同図（ｉ）に示すように、内壁配筋３７の内側に型枠３８を設置する。次に、同図（ｊ）に示すように、上段ライナープレート３３ａ、中段ライナープレート３３ｂおよび下段ライナープレート３３ｃと型枠３８との間にコンクリートを打設して内壁３９を構築する。そして、同図（ｋ）に示すように、コンクリートの硬化後、型枠３８を撤去する。
【０００８】
以上のようにして、従来構築法Ａにより地下構造物Ｘが構築されるが、上段補強リング３５ａ、中段補強リング３５ｂおよび下段補強リング３５ｃは、上段ライナープレート３３ａ、中段ライナープレート３３ｂおよび下段ライナープレート３３ｃの内側から突出し、これらの内側に内壁３９が構築されるので、その分、内壁３９の壁厚が厚くなり、この結果、地下構造物Ｘのスペースが狭くなるといった問題があった。
【０００９】
そこで、補強リングを用いずに支保材を用いて地下構造物を構築する構築方法が考えられる。以下、この地下構造物の構築方法を従来構築法Ｂといい、図面を参照しながら説明する。
【００１０】
図４は、従来構築法Ｂの工程を示す断面図であり、（ａ）は、掘削工程図、（ｂ）は、上段ライナープレート設置工程図、（ｃ）は、裏込め材打設工程図、（ｄ）は、上段支保材設置工程図、（ｅ）は、中段ライナープレート設置工程図、（ｆ）は、中段支保材、下段ライナープレートおよび下段支保材設置工程図、（ｇ）は、基礎コンクリート打設工程図、（ｈ）は、内壁配筋施工工程図、（ｉ）は、型枠設置工程図、（ｊ）は、内壁コンクリート打設工程図、（ｋ）は、型枠撤去工程図である。
【００１１】
先ず、図４（ａ）に示すように、基礎地盤４１に矩形状の掘削穴４２を掘る。次に、同図（ｂ）に示すように、掘削穴４２の内壁に沿って上段ライナープレート４３ａを設置する。次に、同図（ｃ）に示すように、掘削穴１２と上段ライナープレート４３ａとの間に裏込め材としてのコンクリート４４を打設する。
【００１２】
次に、図４（ｄ）に示すように、上段ライナープレート４３ａの内側に腹起しと切梁からなる上段支保材４５ａを設置する。次に、同図（ｅ）に示すように、基礎地盤４１をさらに掘削して、上段ライナープレート４３ａの下部に中段ライナープレート４３ｂを設置する。次に、同図（ｆ）に示すように、中段ライナープレート４３ｂの内側に腹起しと切梁からなる中段支保材４５ｂを設置し、基礎地盤４１をさらに掘削して、中段ライナープレート４３ｂの下部に下段ライナープレート４３ｃを設置し、そして、下段ライナープレート４３ｃの内側に腹起しと切梁からなる下段支保材４５ｃを設置する。
【００１３】
次に、図４（ｇ）に示すように、掘削穴４２の底部に基礎コンクリート４６を打設する。次に、同図（ｈ）に示すように、上段ライナープレート４３ａ、中段ライナープレート４３ｂおよび下段ライナープレート４３ｃの内側に内壁配筋４７を施工する。次に、同図（ｉ）に示すように、内壁配筋４７の内側に型枠４８を設置する。次に、同図（ｊ）に示すように、上段ライナープレート４３ａ、中段ライナープレート４３ｂおよび下段ライナープレート４３ｃと型枠４８との間にコンクリートを打設して内壁４９を構築する。そして、同図（ｋ）に示すように、コンクリート硬化後、型枠４８を撤去する。
【００１４】
以上のようにして、従来構築法Ｂにより地下構造物Ｙが構築される。
【先行技術文献】
【特許文献】
【００１５】
【特許文献１】特開２０１２−１８０６４４号公報
【特許文献２】特開２０１２−１８０６４７号公報
【特許文献３】特開２０１３−２０４３９６号公報
【特許文献４】特開２０１５−１９０２２０号公報
【発明の概要】
【発明が解決しようとする課題】
【００１６】
以上のようにして、従来構築法Ｂによれば、補強リングを用いないので、内壁４９の壁厚が厚くなることにより、地下構造物Ｙのスペースが狭くなるといった問題は解決されるが、内壁配筋４７の施工時に、上段、中段および下段支保材４５ａ、４５ｂおよび４５ｃが干渉して、配筋が行なえない。
【００１７】
また、型枠４８の設置時にも、上段、中段および下段支保材４５ａ、４５ｂおよび４５ｃが干渉する。
【００１８】
さらに、内壁４９の構築時におけるコンクリートの打設後に、上段、中段および下段支保材４５ａ、４５ｂおよび４５ｃを撤去することができないといった問題がある。
【００１９】
上述した従来構築法Ａ、Ｂ以外に、特許文献１から４には、ライナープレートを使用した地下構造物が開示されているが、何れの構築法も、この発明のように、地下構造物を構築する際に用いる支保材の内、縦梁を撤去しないで、地下構造物の構造部材として使用することにより、地下構造物の壁厚を軽減することができるといった地下構造物の構築方法ではない。
【００２０】
従って、この発明の目的は、地下構造物を構築する際の支保材の内、縦梁を撤去しないで、地下構造物の構造部材として使用することにより、地下構造物の内壁の壁厚を軽減することができ、この結果、地下構造物のスペースを広くとることができる地下構造物およびその構築方法を提供することにある。
【課題を解決するための手段】
【００２１】
この発明は、上記目的を達成するためになされたものであって、下記を特徴とする。
【００２２】
請求項１記載の発明は、基礎地盤に掘られた掘削穴内に構築される地下構造物において、前記掘削穴内に前記掘削穴の内壁に沿って設置されたライナープレートと、前記ライナープレートの内側に設置された複数本の縦梁と、前記掘削穴の底部に前記縦梁の下部を埋め込んで打設されたコンクリートにより構築された基礎と、対向する前記縦梁の上部間を連結する複数本の連結梁と、前記ライナープレートの内側に前記縦梁を埋め込んで打設されたコンクリートにより構築された内壁とを備えたことに特徴を有するものである。
【００２３】
請求項２に記載の発明は、請求項１に記載の発明において、前記ライナープレートの上部と前記掘削穴との間には、裏込め材としてのコンクリートが打設されていることに特徴を有するものである。
【００２４】
請求項３に記載の発明は、請求項１に記載の発明において、前記ライナープレートと前記掘削穴との間には、裏込め材としてのコンクリートが打設されていることに特徴を有するものである。
【００２５】
請求項４に記載の発明は、請求項１から３の何れか１つに記載の発明において、前記基礎上にコンクリートを打設することにより底壁が構築されていることに特徴を有するものである。
【００２６】
請求項５に記載の発明は、請求項１から４の何れか１つに記載の発明において、前記ライナープレート、前記縦梁、前記内壁および前記基礎には、止水シートが敷設されていることに特徴を有するものである。
【００２７】
請求項６に記載の発明は、請求項１から５の何れか１つに記載の発明において、前記連結梁の上部には、天井材が設置されていることに特徴を有するものである。
【００２８】
請求項７に記載の発明は、請求項６に記載の発明において、前記天井材は、デッキプレートからなっていることに特徴を有するものである。
【００２９】
請求項８に記載の発明は、下記工程（ａ）から（ｈ）、
（ａ）基礎地盤に掘削穴を掘る。
（ｂ）掘削穴の内壁に沿ってライナープレートを設置する。
（ｃ）前記ライナープレートの内側に支保材としての縦梁を設置する。
（ｄ）対向する前記縦梁間に支保材としての切梁を設置する。
（ｅ）前記（ａ）から（ｄ）工程を繰り返し行って、前記ライナープレートを上下に複数段、前記掘削穴内に構築した後、互いに連結された前記縦梁の上部間を連結梁により連結する。
（ｆ）前記掘削穴の底部に、前記縦梁の下部が埋め込まれるようにコンクリートを打設して基礎を構築する。
（ｇ）前記切梁を撤去する。
（ｈ）前記ライナープレートの内側に前記縦梁が埋め込まれるようにコンクリートを打設して内壁を構築する。
を含むことに特徴を有するものである。
【００３０】
請求項９に記載の発明は、請求項８に記載の発明において、上段の前記ライナープレートと前記掘削穴との間に、裏込め材としてのコンクリートを打設する工程を含むことに特徴を有するものである。
【００３１】
請求項１０に記載の発明は、請求項８に記載の発明において、前記ライナープレートと前記掘削穴との間に裏込め材としてのコンクリートを打設する工程を含むことに特徴を有するものである。
【００３２】
請求項１１に記載の発明は、請求項８から１０の何れか１つに記載の発明において、前記基礎上にコンクリートを打設して底壁を構築する工程を含むことに特徴を有するものである。
【００３３】
請求項１２に記載の発明は、請求項８から１１の何れか１つに記載の発明において、前記ライナープレート、前記縦梁、前記内壁および前記基礎に止水シートを敷設する工程を含むことに特徴を有するものである。
【００３４】
請求項１３に記載の発明は、請求項８から１２の何れか１つに記載の発明において、前記連結梁の上部に天井材を設置する工程を含むことに特徴を有するものである。
【００３５】
請求項１４に記載の発明は、請求項１３に記載の発明において、前記天井材としてデッキプレートを使用することに特徴を有するものである。
【発明の効果】
【００３６】
この発明によれば、地下構造物を構築する際の支保材の内、縦梁を撤去しないで、地下構造物の構造部材として使用することにより、地下構造物の内壁の壁厚を軽減することができる。この結果、地下構造物のスペースを広くとることができる。
【００３７】
また、この発明によれば、縦梁の下部を基礎に埋め込むことにより基礎に固定し、縦梁の上部間を連結梁により連結して、縦梁を門型に固定することにより、支保材としての切梁の撤去が可能となる。
【図面の簡単な説明】
【００３８】
【図１】この発明の地下構造物を示す断面図である。
【図２（ａ−１）】この発明の、地下構造物の構築方法の掘削工程を示す断面図である。
【図２（ａ−２）】この発明の、地下構造物の構築方法の掘削工程を示す平面図である。
【図２（ｂ−１）】この発明の、地下構造物の構築方法の上段ライナープレート設置工程を示す断面図である。
【図２（ｂ−２）】この発明の、地下構造物の構築方法の上段ライナープレート設置工程を示す平面図である。
【図２（ｃ−１）】この発明の、地下構造物の構築方法の縦梁設置工程を示す断面図である。
【図２（ｃ−２）】この発明の、地下構造物の構築方法の縦梁設置工程を示す平面図である。
【図２（ｄ−１）】この発明の、地下構造物の構築方法の腹起し設置工程を示す断面図である。
【図２（ｄ−２）】この発明の、地下構造物の構築方法の腹起し設置工程を示す平面図である。
【図２（ｅ−１）】この発明の、地下構造物の構築方法の切梁設置工程を示す断面図である。
【図２（ｅ−２）】この発明の、地下構造物の構築方法の切梁設置工程を示す平面図である。
【図２（ｆ−１）】この発明の、地下構造物の構築方法の裏込め材打設工程を示す断面図である。
【図２（ｆ−２）】この発明の、地下構造物の構築方法の裏込め材打設工程を示す平面図である。
【図２（ｇ−１）】この発明の、地下構造物の構築方法の中段ライナープレート設置工程を示す断面図である。
【図２（ｇ−２）】この発明の、地下構造物の構築方法の中段ライナープレート設置工程を示す平面図である。
【図２（ｈ−１）】この発明の、地下構造物の構築方法の中段ライナープレートへの縦梁と切梁の設置工程を示す断面図である。
【図２（ｈ−２）】この発明の、地下構造物の構築方法の中段ライナープレートへの縦梁と切梁の設置工程を示す平面図である。
【図２（ｉ−１）】この発明の、地下構造物の構築方法の下段ライナープレート設置工程を示す断面図である。
【図２（ｉ−２）】この発明の、地下構造物の構築方法の下段ライナープレート設置工程を示す平面図である。
【図２（ｊ−１）】この発明の、地下構造物の構築方法の下段ライナープレートへの縦梁と切梁の設置工程を示す断面図である。
【図２（ｊ−２）】この発明の、地下構造物の構築方法の下段ライナープレートへの縦梁と切梁の設置工程を示す平面図である。
【図２（ｋ−１）】この発明の、地下構造物の構築方法の連結梁設置工程を示す断面図である。
【図２（ｋ−２）】この発明の、地下構造物の構築方法の連結梁設置工程を示す平面図である。
【図２（ｌ−１）】この発明の、地下構造物の構築方法の基礎コンクリート打設工程を示す断面図である。
【図２（ｌ−２）】この発明の、地下構造物の構築方法の基礎コンクリート打設工程を示す平面図である。
【図２（ｍ−１）】この発明の、地下構造物の構築方法の裏込め材打設工程を示す断面図である。
【図２（ｍ−２）】この発明の、地下構造物の構築方法の裏込め材打設工程を示す平面図である。
【図２（ｎ−１）】この発明の、地下構造物の構築方法の腹起しおよび切梁の撤去工程を示す断面図である。
【図２（ｎ−２）】この発明の、地下構造物の構築方法の腹起しおよび切梁の撤去工程を示す平面図である。
【図２（ｏ−１）】この発明の、地下構造物の構築方法の止水シート敷設工程を示す断面図である。
【図２（ｏ−２）】この発明の、地下構造物の構築方法の止水シート敷設工程を示す平面図である。
【図２（ｐ−１）】この発明の、地下構造物の構築方法の床配筋の設置工程を示す断面図である。
【図２（ｐ−２）】この発明の、地下構造物の構築方法の床配筋の設置工程を示す平面図である。
【図２（ｑ−１）】この発明の、地下構造物の構築方法の底壁コンクリート打設工程を示す断面図である。
【図２（ｑ−２）】この発明の、地下構造物の構築方法の底壁コンクリート打設工程を示す平面図である。
【図２（ｒ−１）】この発明の、地下構造物の構築方法の内壁配筋と型枠の設置工程を示す断面図である。
【図２（ｒ−２）】この発明の、地下構造物の構築方法の内壁配筋と型枠の設置工程を示す平面図である。
【図２（ｓ−１）】この発明の、地下構造物の構築方法の内壁コンクリート打設工程を示す断面図である。
【図２（ｓ−２）】この発明の、地下構造物の構築方法の内壁コンクリート打設工程を示す平面図である。
【図２（ｔ−１）】この発明の、地下構造物の構築方法の型枠撤去工程を示す断面図である。
【図２（ｔ−２）】この発明の、地下構造物の構築方法の型枠撤去工程を示す平面図である。
【図２（ｕ−１）】この発明の、地下構造物の構築方法のデッキプレート設置工程を示す断面図である。
【図２（ｕ−２）】この発明の、地下構造物の構築方法のデッキプレート設置工程を示す平面図である。
【図２（ｖ−１）】この発明の、地下構造物の構築方法の天井コンクリート打設工程を示す断面図である。
【図２（ｖ−２）】この発明の、地下構造物の構築方法の天井コンクリート打設工程を示す平面図である。
【図２（ｗ−１）】この発明の、地下構造物の内装材設置工程を示す断面図である。
【図２（ｗ−２）】この発明の、地下構造物の内装材設置工程を示す平面図である。
【図３（ａ）】従来構築法Ａの掘削工程を示す断面図である。
【図３（ｂ）】従来構築法Ａの上段ライナープレート設置工程を示す断面図である。
【図３（ｃ）】従来構築法Ａの裏込め材打設工程を示す断面図である。
【図３（ｄ）】従来構築法Ａの上段補強リング設置工程を示す断面図である。
【図３（ｅ）】従来構築法Ａの中段ライナープレート設置工程を示す断面図である。
【図３（ｆ）】従来構築法Ａの中段補強リングと下段ライナープレートおよび下段補強リング設置工程を示す断面図である。
【図３（ｇ）】従来構築法Ａの基礎コンクリート打設工程を示す断面図である。
【図３（ｈ）】従来構築法Ａの内壁配筋施工工程を示す断面図である。
【図３（ｉ）】従来構築法Ａの型枠設置工程を示す断面図である。
【図３（ｊ）】従来構築法Ａの内壁コンクリート打設工程を示す断面図である。
【図３（ｋ）】従来構築法Ａの型枠撤去工程を示す断面図である。
【図４（ａ）】従来構築法Ｂの掘削工程を示す断面図である。
【図４（ｂ）】従来構築法Ｂの上段ライナープレート設置工程を示す断面図である。
【図４（ｃ）】従来構築法Ｂの裏込め材打設工程を示す断面図である。
【図４（ｄ）】従来構築法Ｂの上段支保材設置工程を示す断面図である。
【図４（ｅ）】従来構築法Ｂの中段ライナープレート設置工程を示す断面図である。
【図４（ｆ）】従来構築法Ｂの中段支保材、下段ライナープレートおよび下段支保材設置工程を示す断面図である。
【図４（ｇ）】従来構築法Ｂの基礎コンクリート打設工程を示す断面図である。
【図４（ｈ）】従来構築法Ｂの内壁配筋施工工程を示す断面図である。
【図４（ｉ）】従来構築法Ｂの型枠設置工程を示す断面図である。
【図４（ｊ）】従来構築法Ｂの内壁コンクリート打設工程を示す断面図である。
【図４（ｋ）】従来構築法Ｂの型枠撤去工程図を示す断面図である。
【発明を実施するための形態】
【００３９】
この発明の地下構造物の一実施態様を、図面を参照しながら説明する。
【００４０】
図１は、この発明の地下構造物Ｚを示す断面図である。
【００４１】
図１において、１は、基礎地盤２に掘られた、例えば、直方体形状をなす掘削穴、３は、掘削穴１の内壁に沿って設置されたライナープレートであり、上段ライナープレート３ａ、中段ライナープレート３ｂ、下段ライナープレート３ｃからなっている。４は、上段ライナープレート３ａと掘削穴１との間に打設された裏込め材としてのコンクリート、５は、中段ライナープレート３ｂおよび下段ライナープレート３ｃと掘削穴１との間に打設された裏込め材としてのコンクリート、６は、ライナープレート３の内側に垂直に設置されたＨ形鋼からなる複数本の縦梁である。縦梁６は、互いに連結された上段縦梁６ａ、中段縦梁６ｂ、下段縦梁６ｃからなっている。
【００４２】
７は、掘削穴１の底部に構築された基礎である。基礎７は、掘削穴１の底部に打設された基礎コンクリートにより構築され、縦梁６の下部は、基礎７内に埋め込まれている。８は、対向する縦梁６の上部間を連結するＨ形鋼からなる複数本の連結梁である。このように、縦梁６の下部は、基礎７に固定され、縦梁６の上部は、連結梁８により連結されているので、縦梁６は、門型構造をなしている。９は、ライナープレート３の内側に構築された内壁である。内壁９は、縦梁６を埋め込んで内壁コンクリートを打設することにより構築されている。
【００４３】
１０は、基礎７上にコンクリートを打設することにより構築された底壁、１１は、ライナープレート３、縦梁６、内壁９および基礎７に敷設された止水シート、１２は、連結梁８の上部にボルト１３により固定された天井材としてのデッキプレートである。デッキプレート１２上には、コンクリートが打設され、天井１４が構築されている。２１は、基礎地盤２上に打設されたコンクリートである。
【００４４】
この発明の地下構造物Ｚは、以上のように構成されている。地下構造物Ｚ内には、後述するように、天井材、壁材、床材等の内装材が施されて地下室等が構築される。
【００４５】
この発明によれば、地下構造物Ｚを構築する際の支保材の内、縦梁６を撤去しないで、地下構造物Ｚの構造部材として使用することにより、地下構造物Ｚの内壁９の壁厚を軽減することができる。この結果、地下構造物Ｚのスペースを広くとることができる。
【００４６】
次に、この発明の地下構造物Ｚの構築方法を、図面を参照しながら説明する。
【００４７】
図２は、この発明の、地下構造物の構築方法を示す工程図である。
【００４８】
先ず、図２（ａ−１）、（ａ−２）に示すように、基礎地盤２に直方体形状の掘削穴１を掘る。次に、図２（ｂ−１）、（ｂ−２）に示すように、掘削穴１の内壁に沿って上段ライナープレート３ａを設置する。次に、図２（ｃ−１）、（ｃ−２）に示すように、上段ライナープレート３ａの内側に上段縦梁６ａを垂直に設置する。次に、図２（ｄ−１）、（ｄ−２）に示すように、上段縦梁６ａの内側に支保材としての腹起し１５を設置する。  次に、図２（ｅ−１）、（ｅ−２）に示すように、対向する腹起し１５間に支保材としての切梁１６を設置する。次に、図２（ｆ−１）、（ｆ−２）に示すように、上段ライナープレート３ａと掘削穴１との間に、裏込め材としてのコンクリート４を打設する。
【００４９】
次に、図２（ｇ−１）、（ｇ−２）に示すように、基礎地盤２をさらに掘削して、上段ライナープレート３ａの下部に中段ライナープレート３ｂを設置する。次に、図２（ｈ−１）、（ｈ−２）に示すように、中段ライナープレート３ｂの内側に中段縦梁６ｂを垂直に設置し、上段縦梁６ａと連結する。そして、中段ライナープレート３ｂに腹起し１５を設置し、腹起し１５間に支保材としての切梁１６を設置する。
【００５０】
次に、図２（ｉ−１）、（ｉ−２）に示すように、基礎地盤２をさらに掘削して、中段ライナープレート３ｂの下部に下段ライナープレート３ｃを設置する。この際、掘削穴１の底部に後述する基礎コンクリート打設用の基礎掘り１７を施す。次に、図２（ｊ−１）、（ｊ−２）に示すように、下段ライナープレート３ｃの内側に下段縦梁６ｃを垂直に設置し、中段縦梁６ｂと連結する。そして、下段ライナープレート３ｃに腹起し１５を設置し、腹起し１５間に支保材としての切梁１６を設置する。
【００５１】
次に、図２（ｋ−１）、（ｋ−２）に示すように、対向する縦梁６の上部間を連結梁８により連結する。次に、図２（ｌ−１）、（ｌ−２）に示すように、基礎掘り１７内に基礎コンクリートを打設して基礎７を構築する。基礎７内には、縦梁６の下部が埋め込まれるので、縦梁６の下部は、基礎７に固定される。次に、図２（ｍ−１）、（ｍ−２）に示すように、中段ライナープレート３ｂおよび下段ライナープレート３ｃと掘削穴１との間に、裏込め材としてのコンクリート５を打設する。次に、図２（ｎ−１）、（ｎ−２）に示すように、腹起し１５および切梁１６を撤去する。縦梁６の下部は、基礎７内に埋め込まれて基礎７に固定され、対向する縦梁６の上部間は、連結梁８により連結されている。このように、縦梁６は、門型構造をなしているので、切梁１６を撤去しても強度上の問題は生じない。次に、図２（ｏ−１）、（ｏ−２）に示すように、ライナープレート３、縦梁６、内壁９および基礎７に止水シート１１を敷設する。
【００５２】
次に、図２（ｐ−１）、（ｐ−２）に示すように、基礎７上に床配筋１８を施工する。次に、図２（ｑ−１）、（ｑ−２）に示すように、基礎７上にコンクリートを打設して底壁１０を構築する。次に、図２（ｒ−１）、（ｒ−２）に示すように、ライナープレート３の内側に内壁配筋１９と型枠２０を施工する。次に、図２（ｓ−１）、（ｓ−２）に示すように、型枠２０内にコンクリートを打設して内壁９を構築する。次に、図２（ｔ−１）、（ｔ−２）に示すように、型枠２０を撤去する。
【００５３】
このように、地下構造物Ｚを構築する際の支保材の内、腹起し１５および切梁１６は、撤去するが、縦梁６を撤去しないで、地下構造物Ｚの構造部材として使用することにより、地下構造物Ｚの内壁９の壁厚を軽減することができる。この結果、この結果、地下構造物Ｚのスペースを広くとることができる。
【００５４】
次に、図２（ｕ−１）、（ｕ−２）に示すように、基礎地盤２上にコンクリート２１を打設し、連結梁８の上部に天井材としてのデッキプレート１２を設置し、ボルト１３により連結梁８に固定する。なお、デッキプレート１２には、後述する階段用２３の開口２２を形成する。次に、図２（ｖ−１）、（ｖ−２）に示すように、デッキプレート１２上に天井コンクリートを打設して天井１４を構築する。
【００５５】
このようにして、この発明の地下構造物Ｚを構築することができる。この後、図２（ｗ−１）、（ｗ−２）に示すように、開口２２に地下に続く階段２３を構築し、地下構造物Ｚ内に、天井材２４、壁材２５、床材２６等の内装材を施せば、地下室等を構築することができる。
【００５６】
以上の例は、ライナープレート３を３段で構成したものであるが、３段に限定されないことはいうまでもない。
【００５７】
上述したように、この発明によれば、地下構造物Ｚを構築する際の支保材の内、縦梁６を撤去しないで、地下構造物Ｚの構造部材として使用することにより、地下構造物Ｚの内壁９の壁厚を軽減することができる。この結果、地下構造物Ｚのスペースを広くとることができる。
【００５８】
また、この発明によれば、縦梁６の下部を基礎７に埋め込むことにより基礎７に固定し、縦梁６の上部間を連結梁８により連結して、縦梁６を門型構造にすることにより、支保材としての切梁１６の撤去が可能となる。
【符号の説明】
【００５９】
１：掘削穴
２：基礎地盤
３：ライナープレート
３ａ：上段ライナープレート
３ｂ：中段ライナープレート
３ｃ：下段ライナープレート
４：コンクリート
５：コンクリート
６：縦梁
６ａ：上段縦梁
６ｂ：中段縦梁
６ｃ：下段縦梁
７：基礎
８：連結梁
９：内壁
１０：底壁
１１：止水シート
１２：デッキプレート
１３：ボルト
１４：天井
１５：腹起し
１６：切梁
１７：基礎掘り
１８：床配筋
１９：内壁配筋
２０：型枠
２１：コンクリート
２２：開口
２３：階段
２４：天井材
２５：壁材
２６：床材
３１：基礎地盤
３２：掘削穴
３３ａ：上段ライナープレート
３３ｂ：中段ライナープレート
３３ｃ：下段ライナープレート
３４：コンクリート
３５ａ：上段補強リング
３５ｂ：中段補強リング
３５ｃ：下段補強リング
３６：基礎コンクリート
３７：内壁配筋
３８：型枠
３９：内壁
４１：基礎地盤
４２：掘削穴
４３ａ：上段ライナープレート
４３ｂ：中段ライナープレート
４３ｃ：下段ライナープレート
４４：コンクリート
４５ａ：上段支保材
４５ｂ：中段支保材
４５ｃ：下段支保材
４６：基礎コンクリート
４７：内壁配筋
４８：型枠
４９：内壁
【図１】
2018017042.tif 000003
【図２（ａ−１）】
2018017042.tif 000004
【図２（ａ−２）】
2018017042.tif 000005
【図２（ｂ−１）】
2018017042.tif 000006
【図２（ｂ−２）】
2018017042.tif 000007
【図２（ｃ−１）】
2018017042.tif 000008
【図２（ｃ−２）】
2018017042.tif 000009
【図２（ｄ−１）】
2018017042.tif 000010
【図２（ｄ−２）】
2018017042.tif 000011
【図２（ｅ−１）】
2018017042.tif 000012
【図２（ｅ−２）】
2018017042.tif 000013
【図２（ｆ−１）】
2018017042.tif 000014
【図２（ｆ−２）】
2018017042.tif 000015
【図２（ｇ−１）】
2018017042.tif 000016
【図２（ｇ−２）】
2018017042.tif 000017
【図２（ｈ−１）】
2018017042.tif 000018
【図２（ｈ−２）】
2018017042.tif 000019
【図２（ｉ−１）】
2018017042.tif 000020
【図２（ｉ−２）】
2018017042.tif 000021
【図２（ｊ−１）】
2018017042.tif 000022
【図２（ｊ−２）】
2018017042.tif 000023
【図２（ｋ−１）】
2018017042.tif 000024
【図２（ｋ−２）】
2018017042.tif 000025
【図２（ｌ−１）】
2018017042.tif 000026
【図２（ｌ−２）】
2018017042.tif 000027
【図２（ｍ−１）】
2018017042.tif 000028
【図２（ｍ−２）】
2018017042.tif 000029
【図２（ｎ−１）】
2018017042.tif 000030
【図２（ｎ−２）】
2018017042.tif 000031
【図２（ｏ−１）】
2018017042.tif 000032
【図２（ｏ−２）】
2018017042.tif 000033
【図２（ｐ−１）】
2018017042.tif 000034
【図２（ｐ−２）】
2018017042.tif 000035
【図２（ｑ−１）】
2018017042.tif 000036
【図２（ｑ−２）】
2018017042.tif 000037
【図２（ｒ−１）】
2018017042.tif 000038
【図２（ｒ−２）】
2018017042.tif 000039
【図２（ｓ−１）】
2018017042.tif 000040
【図２（ｓ−２）】
2018017042.tif 000041
【図２（ｔ−１）】
2018017042.tif 000042
【図２（ｔ−２）】
2018017042.tif 000043
【図２（ｕ−１）】
2018017042.tif 000044
【図２（ｕ−２）】
2018017042.tif 000045
【図２（ｖ−１）】
2018017042.tif 000046
【図２（ｖ−２）】
2018017042.tif 000047
【図２（ｗ−１）】
2018017042.tif 000048
【図２（ｗ−２）】
2018017042.tif 000049
【図３（ａ）】
2018017042.tif 000050
【図３（ｂ）】
2018017042.tif 000051
【図３（ｃ）】
2018017042.tif 000052
【図３（ｄ）】
2018017042.tif 000053
【図３（ｅ）】
2018017042.tif 000054
【図３（ｆ）】
2018017042.tif 000055
【図３（ｇ）】
2018017042.tif 000056
【図３（ｈ）】
2018017042.tif 000057
【図３（ｉ）】
2018017042.tif 000058
【図３（ｊ）】
2018017042.tif 000059
【図３（ｋ）】
2018017042.tif 000060
【図４（ａ）】
2018017042.tif 000061
【図４（ｂ）】
2018017042.tif 000062
【図４（ｃ）】
2018017042.tif 000063
【図４（ｄ）】
2018017042.tif 000064
【図４（ｅ）】
2018017042.tif 000065
【図４（ｆ）】
2018017042.tif 000066
【図４（ｇ）】
2018017042.tif 000067
【図４（ｈ）】
2018017042.tif 000068
【図４（ｉ）】
2018017042.tif 000069
【図４（ｊ）】
2018017042.tif 000070
【図４（ｋ）】
2018017042.tif 000071